(57)【要約】【課題】プリズムシートを用いるバックライトユニットを有する表示装置の表示ユニット上に設置された際に、モアレの発生を抑止でき、視認性を大幅に向上させることができる導電性フイルム、それを備える表示装置及びタッチパネル、並びに導電性フイルムのパターンの決定方法を提供する。【解決手段】導電部の配線パターンと、バックライトユニットの表示ユニット側にあるプリズムシートのマイクロプリズム列パターンとの干渉によって得られる第１のモアレについて、配線パターンの透過率画像データの２次元フーリエスペクトルの複数のスペクトルピークのピーク空間周波数と、マイクロプリズム列パターンの透過率画像データの２次元フーリエスペクトルの２次の項までのスペクトルピークのピーク空間周波数との差分が、３サイクル／ｍｍ超であることにより、上記課題を解決する。【選択図】図１１
2014052906.tif 000002
【特許請求の範囲】
【請求項１】
画素配列パターンを持つ表示ユニット、及び少なくとも１枚の、断面形状が微少３角形である平行なマイクロプリズム列が形成されたプリズムシートを持つバックライトユニットを備える表示装置の前記表示ユニット上に設置される導電性フイルムであって、
透明基体と、
該透明基体の少なくとも一方の面に形成され、複数の金属細線からなる導電部と、
を有し、
前記導電部は、前記複数の金属細線によりメッシュ状に形成された、複数の開口部を配列した配線パターンを有し、
前記配線パターンは、前記表示ユニットの画素配列パターンに重畳され、
前記導電部の前記配線パターンと、前記表示ユニット側にある前記プリズムシートのマイクロプリズム列パターンとの干渉によって得られる第１のモアレについて、前記配線パターンの透過率画像データの２次元フーリエスペクトルの複数のスペクトルピークのピーク空間周波数と、前記マイクロプリズム列パターンの透過率画像データの２次元フーリエスペクトルの２次の項までのスペクトルピークのピーク空間周波数との差分が、３サイクル／ｍｍ超であることを特徴とする導電性フイルム。
【請求項２】
画素配列パターンを持つ表示ユニット、及び少なくとも１枚の、断面形状が微少３角形である平行なマイクロプリズム列が形成されたプリズムシートを持つバックライトユニットを備える表示装置の前記表示ユニット上に設置される導電性フイルムであって、
透明基体と、
該透明基体の少なくとも一方の面に形成され、複数の金属細線からなる導電部と、
を有し、
前記導電部は、前記複数の金属細線によりメッシュ状に形成された、複数の開口部を配列した配線パターンを有し、
前記配線パターンは、前記表示ユニットの画素配列パターンに重畳され、
前記導電部の前記配線パターンと、前記表示ユニットの前記画素配列パターンと、前記プリズムシートの前記マイクロプリズム列パターンとの３者が干渉して視認される第２のモアレについて、この視認される第２のモアレの最低の周波数が、前記配線パターンと前記画素配列パターンとの干渉によって得られる第３のモアレの最低の周波数よりも高周波側に存在することを特徴とする導電性フイルム。
【請求項３】
前記画素配列パターンは、前記ブラックマトリックスパターンである請求項１又は２に記載の導電性フイルム。
【請求項４】
前記少なくとも１枚のプリズムシートは、前記マイクロプリズム列パターンが互いに直交する２枚のプリズムシートからなる請求項１〜３のいずれか１項に記載の導電性フイルム。
【請求項５】
前記導電部は、
前記透明基体の一方の面に形成され、複数の金属細線からなる第１導電部と、
前記透明基体の他方の面に形成され、複数の金属細線からなる第２導電部と、を有し、
前記配線パターンは、
前記第１導電部及び前記第２導電部を組み合わせることで形成される請求項１〜４のいずれか１項に記載の導電性フイルム。
【請求項６】
さらに、前記一方の面の上に設けられた、前記第１導電部を被覆する第１保護層と、
前記他方の面の上に設けられた、前記第２導電部を被覆する第２保護層と、を有し、
前記第１保護層に対する前記基体の相対屈折率、及び／又は前記第２保護層に対する前記基体の相対屈折率は０．８６以上であり１．１５以下である請求項５に記載の導電性フイルム。
【請求項７】
さらに、前記一方の面に形成され、前記第１導電部と電気的に絶縁された複数の金属細線からなる第１ダミー電極部をさらに有し、
前記第１導電部は、一方向に配置され、それぞれ複数の第１感知部が接続された第１導電パターンを複数有し、前記第１ダミー電極部は、隣接する前記第１導電部の配線パターン同士の隙間部に配置された第１ダミー配線パターンを複数有し、
前記第１ダミー配線パターンの配線密度は、前記第１導電部の前記配線パターンの配線密度に等しい請求項５又は６に記載の導電性フイルム。
【請求項８】
前記導電部は、
前記透明基体の一方の面に形成される請求項１〜４のいずれか１項に記載の導電性フイルム。
【請求項９】
画素配列パターンを持つ表示ユニットと、
少なくとも１枚の、断面形状が微少３角形である平行なマイクロプリズム列が形成されたプリズムシートを備えるバックライトユニットと、
請求項１〜８のいずれか１項に記載の導電性フイルムと、を備えることを特徴とする表示装置。
【請求項１０】
請求項１〜８のいずれか１項に記載の導電性フイルムと、
前記導電性フイルムの前記一方の面側からの接触位置又は近接位置を検出する検出制御部と、を備えることを特徴とするタッチパネル。
【請求項１１】
画素配列パターンを持ち、表示信号に基づいて表示画面上に画像を表示する表示ユニットと、
少なくとも１枚の、断面形状が微少３角形である平行なマイクロプリズム列が形成されたプリズムシートを備えるバックライトユニットと、
請求項１０に記載のタッチパネルと、を備え、
前記タッチパネルの前記導電性フイルムは、前記他方の面側を前記表示ユニットに対向させて、前記表示画面上に配置されていることを特徴とする表示装置。
【請求項１２】
画素配列パターンを持つ表示ユニット、及び少なくとも１枚の、断面形状が微少３角形である平行なマイクロプリズム列が形成されたプリズムシートを持つバックライトユニットを備える表示装置の前記表示ユニット上に設置され、複数の金属細線によりメッシュ状に形成された、複数の開口部を配列した配線パターンを有する導電性フイルムの配線パターンの決定方法であって、
前記配線パターンの透過率画像データと、前記マイクロプリズム列パターンの透過率画像データとを取得し、
前記配線パターンの透過率画像データ及び前記マイクロプリズム列パターンの透過率画像データに対して２次元フーリエ変換を行い、前記配線パターンの透過率画像データの２次元フーリエスペクトルの複数のスペクトルピークのピーク空間周波数と、前記マイクロプリズム列パターンの透過率画像データの２次元フーリエスペクトルの２次の項までのスペクトルピークのピーク空間周波数とを算出し、
こうして算出された前記配線パターンの複数の前記ピーク周波数と前記マイクロプリズム列パターンの２次の項までの前記ピーク周波数との差分をそれぞれの組み合わせにおいて算出し、
得られた前記配線パターンと前記マイクロプリズム列パターンとの両者の前記ピーク周波数の差分と、３サイクル／ｍｍとを比較し、
全ての組み合わせにおいて算出された前記ピーク周波数の差分が３サイクル／ｍｍ超である時、前記配線パターンを前記導電性フィルムの配線パターンとして設定し、前記ピーク周波数の差分が３サイクル／ｍｍ以下である時、前記配線パターンの透過率画像データを新たな配線パターンの透過率画像データに変更して、前記ピーク周波数の算出、前記ピーク周波数の差分の算出、前記ピーク周波数の差分と３サイクル／ｍｍとの比較の各ステップを、前記全ての組み合わせの前記ピーク周波数の差分が、３サイクル／ｍｍ超になるまで繰り返して、前記配線パターンと、前記表示ユニットの前記画素配列パターン及び前記プリズムシートの前記マイクロプリズム列パターンとの３者が干渉して得られる第２のモアレに対して、前記配線パターンを最適化することを特徴とする導電性フイルムのパターンの決定方法。
【請求項１３】
画素配列パターンを持つ表示ユニット、及び少なくとも１枚の、断面形状が微少３角形である平行なマイクロプリズム列が形成されたプリズムシートを持つバックライトユニットを備える表示装置の前記表示ユニット上に設置され、複数の金属細線によりメッシュ状に形成された、複数の開口部を配列した配線パターンを有する導電性フイルムの配線パターンの決定方法であって、
前記配線パターンの透過率画像データと、前記配線パターンが重畳される、前記表示ユニットの前記画素配列パターンの透過率画像データと、前記表示ユニットの前記マイクロプリズム列パターンの透過率画像データとを取得し、
前記配線パターンの透過率画像データ、前記画素配列パターンの透過率画像データ及び前記マイクロプリズム列パターンの透過率画像データに対して２次元フーリエ変換を行い、前記配線パターンの透過率画像データの２次元フーリエスペクトルの複数のスペクトルピークのピーク空間周波数と、前記画素配列パターンの透過率画像データの２次元フーリエスペクトルの複数のスペクトルピークのピーク空間周波数と、前記マイクロプリズム列パターンの透過率画像データの２次元フーリエスペクトルの２次の項までのスペクトルピークのピーク空間周波数とを算出し、
こうして算出された前記画素配列パターンの複数の前記ピーク空間周波数と、前記配線パターンの複数の前記ピーク周波数とから前記第３のモアレの周波数を算出し、
こうして算出された前記配線パターンと前記画素配列パターンとの干渉による前記第３のモアレの周波数から第３のモアレのピーク周波数を求め、
こうして求められた前記第３のモアレのピーク周波数と前記マイクロプリズム列パターンの２次の項までの前記ピーク周波数との差分をそれぞれの組み合わせにおいて求めて、前記配線パターン、前記画素配列パターン及び前記マイクロプリズム列パターンの３者の干渉による第２のモアレの周波数として算出し、
こうして算出された複数の前記第２のモアレの周波数の中から、視認される第２のモアレの最低の周波数と、先に算出された複数の前記第３のモアレの周波数の中から、視認される第３のモアレの最低の周波数とを求め、
こうして求められた前記第２のモアレの最低の周波数と前記第３のモアレの最低の周波数とを比較し、
前記第２のモアレの最低の周波数が前記第３のモアレの最低の周波数よりも高周波側に存在する時、前記配線パターンを前記導電性フィルムの配線パターンとして設定し、前記第２のモアレの最低の周波数が前記第３のモアレの最低の周波数以下の低周波である時、上記各ステップを、前記第２のモアレの最低の周波数が前記第３のモアレの最低の周波数よりも高周波側になるまで繰り返して、前記配線パターンと、前記表示ユニットの前記画素配列パターン及び前記プリズムシートの前記マイクロプリズム列パターンとの３者が干渉して得られる第２のモアレに対して、前記配線パターンを最適化することを特徴とする導電性フイルムのパターンの決定方法。
【発明の詳細な説明】
【技術分野】
【０００１】
本発明は、導電性フィルム、それを備える表示装置及びタッチパネル、並びに導電性フイルムのパターンの決定方法に関する。
【背景技術】
【０００２】
表示装置（以下、ディスプレイともいう）の表示ユニット上に設置される導電性フイルムとして、例えば電磁波シールド用の導電性フイルムやタッチパネル用の導電性フイルム等が挙げられる（例えば、特許文献１〜３参照）。
【０００３】
本出願人の出願に係る特許文献１では、例えばディスプレイの画素配列パターン（例えば、ブラックマトリックス（以下、ＢＭともいう）パターン）等の第１のパターン、及び、例えば電磁波シールドパターン等の第２のパターンのそれぞれのパターンデータの２次元フーリエスペクトル（２ＤＦＦＴＳｐ）のスペクトルピーク間の相対距離が、所定の空間周波数、例えば８ｃｍ−１を超えている第２のパターンデータによって生成される第２のパターンを自動的に選定することを開示している。
なお、特許文献１では、上述の相対距離が所定の空間周波数を超えていない場合には、第２のパターンデータの回転角度、ピッチ、パターン幅のいずれか１つ以上を変化させて、新たな第２のパターンデータを生成することを、上述の相対距離が所定の空間周波数を超えるまで繰り返すことも開示している。
こうして、特許文献１では、モアレの発生を抑止でき、表面抵抗率の増大や透明性の劣化をも回避することができる電磁波シールドパターンを自動的に選定できるようにしている。
【０００４】
特許文献２及び３では、配線パターンを持つ透明電極層又はタッチパネルと、画素配列パターンを持つ表示部又は表示パネルと、マイクロプリズム列パターン（以下、単に、プリズムパターンともいう）を持つプリズムシート又はそれを持つプリズム面を備える導光板を有する照明装置（バックライト、フロントライト）とを有する液晶表示装置において、画素配列パターンと、プリズムパターンの干渉によるモアレを低減することができることを開示している。
特に、特許文献２では、照明装置の導光体の導光板のプリズム面の稜線が表示パネルの画素配列の繰り返しに対して傾斜させることにより、画素配列パターンとプリズム面のプリズムパターンとの干渉によるモアレの発生を抑制することができる反射型液晶表示装置を開示している。
また、特許文献３では、バックライトの導光体やプリズムシート等の光学シートの溝やマイクロプリズムの列状パターンのピッチＰ２と、表示パネルの画素配列パターンのピッチＰ１とが所定の関係式を満たすようにすること、又は両者の関係を所定の範囲内に規定することにより、画素配列パターンとプリズム面のプリズムパターンとの干渉によるモアレ縞の発生を低減することができる液晶表示装置を開示している。
【０００５】
一方、特許文献４には、画像入力（原稿の読取）と画像表示との両方を行うためにパターン配列画素を持つ画像表示入力兼用パネルとプリズムシートを備えるバックライトとを有する画像表示入力兼用装置が開示されている。
この特許文献４では、バックライトのプリズムシートのマイクロプリズムのピッチを表示パネルの画素配列パターンのピッチより小さくすることにより、画素配列パターンとプリズム面のパターンとの干渉によるモアレの発生が防止されることを開示している。
【先行技術文献】
【特許文献】
【０００６】
【特許文献１】特開２００９−１１７６８３号公報
【特許文献２】特開２００２−３５１３４１号公報
【特許文献３】特開２０００−２０６５２９号公報
【特許文献４】特許第３００７００８号公報
【発明の概要】
【発明が解決しようとする課題】
【０００７】
ところで、例えば、タッチセンサ（タッチパネル）を、プリズムシートを用いるバックライトを備える表示ユニットの画素配列上に搭載するアウトセル方式の場合、画素配列と、プリズムシートと、タッチセンサとの干渉によるモアレを考慮しなければならないという問題があった。
しかしながら、特許文献１は、導電性フイルムの配線パターンを生成するに当たって、ディスプレイのＢＭ（ブラックマトリックス）／配線パターンの周波数情報のみからモアレ周波数を制御し、視認性に優れた配線パターンを提供する技術であるが、ディスプレイのＢＭと導電性フイルムの配線パターンとの干渉によるモアレのみを対象としているため、ディスプレイのバックライト等の照明装置に用いられているプリズムシート等のプリズムパターンと、ＢＭや配線パターンとの干渉によるモアレは全く考慮されておらず、プリズムパターンとの干渉によるモアレの発生を抑制できず、モアレが視認されてしまい、モアレの視認性の向上が十分でないという問題があった。
【０００８】
また、特許文献２では、照明装置の導光板のプリズム面のプリズムパターンと表示パネルの画素配列パターンとの干渉によるモアレの発生を抑制しているが、そのモアレの抑制は、画素配列パターンとプリズムパターンとの両者のパターン配列方向を傾斜させることに過ぎず、配線パターンのようなメッシュ状パターンとの干渉によるモアレの発生の抑制には、限界があると言う問題があった。
また、特許文献２では、タッチパネルとして機能する配線パターンを持つのはＩＴＯ（酸化インジウムスズ）等の透明電極であるため、そもそも、照明装置の導光体の導光板のプリズム面のプリズムパターンと表示パネルの画素配列パターンとの干渉によるモアレの発生を抑制することができれば良いため、金属細線からなる不透明な配線パターンとの干渉によるモアレは、全く問題にされていないし、また、全く問題にする必要はない。このため、不透明な配線パターンとプリズムパターンとの干渉、及び不透明な配線パターンと画素配列パターンとプリズムパターンとの３者の干渉によって生じるモアレを抑制し、モアレの視認性を向上させることには繋がらないという問題があった。
【０００９】
また、特許文献３でも、モアレ縞の発生の低減のために、具体的に開示されているのは、単に、バックライトの光学シートの単純な列状パターンのピッチＰ２と、所定角度θ傾斜させて重畳された表示パネルの単純な画素配列パターンのピッチＰ１との関係を所定の関係式で、又は所定の範囲内に規定することであって、特許文献１に開示のように、画素配列パターンに対してモアレを低減することができるメッシュ状配線パターンのようなランダムパターンには適用できないし、仮に、できたとしても、配線パターンとの干渉によるモアレの発生の抑制には、限界があると言う問題があった。
なお、特許文献３には、タッチパネルと光学シート或いは液晶パネルとの間で発生するモアレにも適用できると言及しているが、具体的な記載は全くないし、タッチパネルの配線についても全く言及しておらず、タッチパネルが単純な繰り返し線状パターン歯科考慮されていないことは明らかである。このため、ランダムな配線パターンとプリズムパターンとの干渉、及びランダムな配線パターンと画素配列パターンとプリズムパターンとの３者の干渉によって生じるモアレを抑制し、モアレの視認性を向上させることには適用できないという問題があった。
【００１０】
また、特許文献４でも、バックライトのプリズムシートのピッチを表示パネルの画素配列パターンのピッチより小さくして、モアレの発生を防止しているが、バックライトのプリズムシートと表示パネルとの間のモアレ歯科対象としていないし、また、両パターンとも単純な列状パターンの場合に過ぎない。このため、ランダムな配線パターンとプリズムパターンとの干渉、及びランダムな配線パターンと画素配列パターンとプリズムパターンとの３者の干渉によって生じるモアレを抑制し、モアレの視認性を向上させることには適用できないという問題があった。
さらに、特許文献２〜４に開示されたバックライトのプリズムシートのプリズムパターンは、図２１（Ａ）に示すように、多数形成された、断面形状が微少３角形である平行なマイクロプリズム列７５からなり、プリズムシート７６を正面から観察した場合には、図２１（Ｂ）に示すようにマイクロプリズム列７５のプリズムパターン７７は視認されないが、斜め方向から見た場合には、図２１（Ｃ）に示すようにプリズムパターン７７が視認されてしまい、特許文献２〜４に開示された技術によって、正面から観察する場合のモアレの発生を抑制できたとしても、斜め方向から見た場合には、モアレの発生の抑制が不十分となり、モアレが視認されてしまうと言う問題があった。
【００１１】
本発明は、上記従来技術の問題点を解消し、プリズムシートを用いるバックライトユニットを有する表示装置の表示ユニット上に設置された際に、モアレの発生を抑止でき、視認性を大幅に向上させることができる導電性フイルム、それを備える表示装置及びタッチパネル、並びに導電性フイルムのパターンの決定方法を提供することを目的とする。
特に、本発明は、配線を有する透明導電性フイルムをタッチパネル用電極として用いる場合、プリズムシートを用いるバックライトユニットを備える表示装置の表示ユニットのブラックマトリクスに導電性フイルムを重畳して視認する際に大きな画質障害となる、プリズムシートのマイクロプリズム列パターン、表示ユニットの画素配列パターン及び透明導電性フイルムの配線パターンの干渉によるモアレの発生を抑止でき、タッチパネル上の表示の視認性を大幅に向上させることができる導電性フイルム、それを備える表示装置及びタッチパネル、並びに導電性フイルムのパターンの決定方法を提供することを目的とする。
【課題を解決するための手段】
【００１２】
上記目的を達成するために、本発明の第１の態様に係る導電性フイルムは、画素配列パターンを持つ表示ユニット、及び少なくとも1枚の、断面形状が微少３角形である平行なマイクロプリズム列が形成されたプリズムシートを持つバックライトユニットを備える表示装置の表示ユニット上に設置される導電性フイルムであって、透明基体と、透明基体の少なくとも一方の面に形成され、複数の金属細線からなる導電部と、を有し、導電部は、複数の金属細線によりメッシュ状に形成された、複数の開口部を配列した配線パターンを有し、配線パターンは、表示ユニットの画素配列パターンに重畳され、導電部の配線パターンと、表示ユニット側にあるプリズムシートのマイクロプリズム列パターンとの干渉によって得られる第１のモアレについて、配線パターンの透過率画像データの２次元フーリエスペクトルの複数のスペクトルピークのピーク空間周波数と、マイクロプリズム列パターンの透過率画像データの２次元フーリエスペクトルの２次の項までのスペクトルピークのピーク空間周波数との差分が、３サイクル／ｍｍ超であることを特徴とする。
【００１３】
上記目的を達成するために、本発明の第２の態様に係る導電性フイルムは、画素配列パターンを持つ表示ユニット、及び少なくとも１枚の、断面形状が微少３角形である平行なマイクロプリズム列が形成されたプリズムシートを持つバックライトユニットを備える表示装置の前記表示ユニット上に設置される導電性フイルムであって、透明基体と、該透明基体の少なくとも一方の面に形成され、複数の金属細線からなる導電部と、を有し、前記導電部は、前記複数の金属細線によりメッシュ状に形成された、複数の開口部を配列した配線パターンを有し、前記配線パターンは、前記表示ユニットの画素配列パターンに重畳され、前記導電部の前記配線パターンと、前記表示ユニットの前記画素配列パターンと、前記プリズムシートの前記マイクロプリズム列パターンとの３者が干渉して視認される第２のモアレについて、この視認される第２のモアレの最低の周波数が、前記配線パターンと前記画素配列パターンとの干渉によって得られる第３のモアレの最低の周波数よりも高周波側に存在することを特徴とする。
【００１４】
また、導電部の配線パターンと、表示ユニットの画素配列パターンとの干渉によって得られるモアレについて、配線パターンのピーク空間周波数と、画素配列パターンの透過率画像データの２次元フーリエスペクトルの複数のスペクトルピークのピーク空間周波数との差分が、３サイクル／ｍｍ超であることが好ましい。
また、表示ユニットの画素配列パターンと、プリズムシートのマイクロプリズム列パターンとの干渉によって得られるモアレについて、画素配列パターンの透過率画像データの２次元フーリエスペクトルの複数のスペクトルピークのピーク空間周波数と、マイクロプリズム列パターンのピーク空間周波数との差分が、３サイクル／ｍｍ超であることが好ましい。
なお、導電部の配線パターン及び表示ユニットの画素配列パターンのスペクトルピークは、１０次の項までのスペクトルピークが考慮されるものであることが好ましい。
【００１５】
また、画素配列パターンは、ブラックマトリックスパターンであることが好ましい。
また、少なくとも１枚のプリズムシートは、マイクロプリズム列パターンが互いに直交する２枚のプリズムシートからなることが好ましい。
【００１６】
また、導電部は、透明基体の一方の面に形成され、複数の金属細線からなる第１導電部と、透明基体の他方の面に形成され、複数の金属細線からなる第２導電部と、を有し、配線パターンは、第１導電部及び第２導電部を組み合わせることで形成されることが好ましい。
また、さらに、一方の面の上に設けられた、第１導電部を被覆する第１保護層と、他方の面の上に設けられた、第２導電部を被覆する第２保護層と、を有し、第１保護層に対する基体の相対屈折率、及び／又は第２保護層に対する基体の相対屈折率は０．８６以上であり１．１５以下であることが好ましい。
【００１７】
また、さらに、一方の面に形成され、第１導電部と電気的に絶縁された複数の金属細線からなる第１ダミー電極部をさらに有し、第１導電部は、一方向に配置され、それぞれ複数の第１感知部が接続された第１導電パターンを複数有し、第１ダミー電極部は、隣接する第１導電部の配線パターン同士の隙間部に配置された第１ダミー配線パターンを複数有し、第１ダミー配線パターンの配線密度は、第１導電部の配線パターンの配線密度に等しいことが好ましい。
又は、導電部は、透明基体の一方の面に形成されることが好ましい。
【００１８】
また、上記目的を達成するために、本発明の第３の態様に係る表示装置は、画素配列パターンを持つ表示ユニットと、少なくとも１枚の、断面形状が微少３角形である平行なマイクロプリズム列が形成されたプリズムシートを備えるバックライトユニットと、上記第１の態様に係る導電性フイルムと、を備えることを特徴とする。
【００１９】
また、上記目的を達成するために、本発明の第４の態様に係るタッチパネルは、上記第１の態様に係る導電性フイルムと、導電性フイルムの一方の面側からの接触位置又は近接位置を検出する検出制御部と、を備えることを特徴とする。
【００２０】
上記目的を達成するために、本発明の第５の態様に係る表示装置は、画素配列パターンを持ち、表示信号に基づいて表示画面上に画像を表示する表示ユニットと、少なくとも１枚の、断面形状が微少３角形である平行なマイクロプリズム列が形成されたプリズムシートを備えるバックライトユニットと、上記第３の態様に係るタッチパネルと、を備え、タッチパネルの導電性フイルムは、他方の面側を表示ユニットに対向させて、表示画面上に配置されていることを特徴とする。
【００２１】
上記目的を達成するために、本発明の第６の態様に係る導電性フイルムのパターンの決定方法は、画素配列パターンを持つ表示ユニット、及び少なくとも１枚の、断面形状が微少３角形である平行なマイクロプリズム列が形成されたプリズムシートを持つバックライトユニットを備える表示装置の前記表示ユニット上に設置され、複数の金属細線によりメッシュ状に形成された、複数の開口部を配列した配線パターンを有する導電性フイルムの配線パターンの決定方法であって、前記配線パターンの透過率画像データと、前記マイクロプリズム列パターンの透過率画像データとを取得し、前記配線パターンの透過率画像データ及び前記マイクロプリズム列パターンの透過率画像データに対して２次元フーリエ変換を行い、前記配線パターンの透過率画像データの２次元フーリエスペクトルの複数のスペクトルピークのピーク空間周波数と、前記マイクロプリズム列パターンの透過率画像データの２次元フーリエスペクトルの２次の項までのスペクトルピークのピーク空間周波数とを算出し、こうして算出された前記配線パターンの複数の前記ピーク周波数と前記マイクロプリズム列パターンの１次及び２次の２つの前記ピーク周波数との差分をそれぞれの組み合わせにおいて算出し、得られた前記配線パターンと前記マイクロプリズム列パターンとの両者の前記ピーク周波数の差分と、３サイクル／ｍｍとを比較し、全ての組み合わせにおいて算出された前記ピーク周波数の差分が３サイクル／ｍｍ超である時、前記配線パターンを前記導電性フィルムの配線パターンとして設定し、前記ピーク周波数の差分が３サイクル／ｍｍ以下である時、前記配線パターンの透過率画像データを新たな配線パターンの透過率画像データに変更して、前記ピーク周波数の算出、前記ピーク周波数の差分の算出、前記ピーク周波数の差分と３サイクル／ｍｍとの比較の各ステップを、前記全ての組み合わせの前記ピーク周波数の差分が、３サイクル／ｍｍ超になるまで繰り返して、前記配線パターンと、前記表示ユニットの前記画素配列パターン及び前記プリズムシートの前記マイクロプリズム列パターンとの３者が干渉して得られる第２のモアレに対して、前記配線パターンを最適化することを特徴とする。
【００２２】
上記目的を達成するために、本発明の第７の態様に係る導電性フイルムのパターンの決定方法は、画素配列パターンを持つ表示ユニット及び少なくとも１枚の、断面形状が微少３角形である平行なマイクロプリズム列が形成されたプリズムシートを持つバックライトユニットを備える表示装置の前記表示ユニット上に設置され、複数の金属細線によりメッシュ状に形成された、複数の開口部を配列した配線パターンを有する導電性フイルムの配線パターンの決定方法であって、前記配線パターンの透過率画像データと、前記配線パターンが重畳される、前記表示ユニットの前記画素配列パターンの透過率画像データと、前記表示ユニットの前記マイクロプリズム列パターンの透過率画像データとを取得し、前記配線パターンの透過率画像データ、前記画素配列パターンの透過率画像データ及び前記マイクロプリズム列パターンの透過率画像データに対して２次元フーリエ変換を行い、前記配線パターンの透過率画像データの２次元フーリエスペクトルの複数のスペクトルピークのピーク空間周波数と、前記画素配列パターンの透過率画像データの２次元フーリエスペクトルの複数のスペクトルピークのピーク空間周波数と、前記マイクロプリズム列パターンの透過率画像データの２次元フーリエスペクトルの２次の項までのスペクトルピークのピーク空間周波数とを算出し、こうして算出された前記画素配列パターンの複数の前記ピーク空間周波数と、前記配線パターンの複数の前記ピーク周波数とから前記第３のモアレの周波数を算出し、こうして算出された前記配線パターンと前記画素配列パターンとの干渉による前記第３のモアレの周波数から第３のモアレのピーク周波数を求め、こうして求められた前記第３のモアレのピーク周波数と前記マイクロプリズム列パターンの２次の項までの前記ピーク周波数との差分をそれぞれの組み合わせにおいて求めて、前記配線パターン、前記画素配列パターン及び前記マイクロプリズム列パターンの３者の干渉による第２のモアレの周波数として算出し、こうして算出された複数の前記第２のモアレの周波数の中から、視認される第２のモアレの最低の周波数と、先に算出された複数の前記第３のモアレの周波数の中から、視認される第３のモアレの最低の周波数とを求め、こうして求められた前記第２のモアレの最低の周波数と前記第３のモアレの最低の周波数とを比較し、前記第２のモアレの最低の周波数が前記第３のモアレの最低の周波数よりも高周波側に存在する時、前記配線パターンを前記導電性フィルムの配線パターンとして設定し、前記第２のモアレの最低の周波数が前記第３のモアレの最低の周波数以下の低周波である時、上記各ステップを、前記第２のモアレの最低の周波数が前記第３のモアレの最低の周波数よりも高周波側になるまで繰り返して、前記配線パターンと、前記表示ユニットの前記画素配列パターン及び前記プリズムシートの前記マイクロプリズム列パターンとの３者が干渉して得られる第２のモアレに対して、前記配線パターンを最適化することを特徴とする。
【００２３】
なお、本発明の第１及び第２の態様において好ましい態様は、それぞれ本発明の第６及び第７の態様においても好ましい態様であるということができる。
【発明の効果】
【００２４】
以上説明したように、本発明によれば、プリズムシートを用いるバックライトユニットを有する表示装置の表示ユニット上に設置されて使用された場合にも、モアレの発生を抑止でき、視認性を大幅に向上させることができる。
即ち、本発明においては、プリズムシートのマイクロプリズム列パターン及び導電性フィルムの配線パターンの周波数解析により得られる両者の２次元フーリエスペクトルの２次の項までのスペクトルピークのピーク空間周波数との差分をモアレの視認性に優れるように所定値超に数値限定しているので、モアレの発生による画質障害を無くし、優れた視認性を得ることができる。また、本発明においては、プリズムシートのマイクロプリズム列パターン、導電性フィルムの配線パターン及び表示装置の画素配列パターンの干渉によって得られるモアレの周波数ピークの２者が干渉して視認される第２のモアレの最低の周波数が、配線パターンと画素配列パターンとの干渉によって得られる第３のモアレの最低の周波数よりも高周波側に来るように限定しているので、モアレの発生による画質障害を無くし、優れた視認性を得ることができる。
特に、本発明によれば、導電性フイルムをタッチパネル用電極として用いる場合、プリズムシートを用いるバックライトユニットを備える表示装置の表示ユニットのブラックマトリクスに導電性フイルムを重畳して視認する際の大きな画質障害となるモアレを抑止でき、タッチパネル上の表示の視認性を大幅に向上させることができる。
【図面の簡単な説明】
【００２５】
【図１】本発明の第１の実施形態に係る導電性フイルムの一例を模式的に示す部分拡大平面図である。
【図２】図１に示す導電性フイルムの模式的部分断面図である。
【図３】本発明の第２の実施形態に係る導電性フイルムの一例の模式的部分断面図である。
【図４】図３に示す導電性フイルムの模式的平面図である。
【図５】図３に示す導電性フイルムを組み込んだ表示装置の一実施例の概略断面図である。
【図６】図５に示す表示装置の具体的な構成の一実施例を模式的に示す断面模式図である。
【図７】本発明に係る導電性フイルムが適用される表示ユニットのカラーフィルタ基板の画素配列パターンの一例を表す概略説明図である。
【図８】（Ａ）及び（Ｂ）は、それぞれ図５に示す表示装置に用いられるバックライトの１組のプリズムシートのプリズム列パターンの一例を示す図である。
【図９】表示装置の表示ユニットの画素配列パターン、導電性フイルムの配線パターン、及びプリズムシートのプリズム列パターンの組み合わせにおいて考慮すべき干渉を示す説明図である。
【図１０】（Ａ）及び（Ｂ）は、それぞれ本発明に用いられるプリズムシートの透過率画像及びそのＦＦＴ画像の一例である。
【図１１】本発明に係る導電性フイルムの配線パターンの決定方法の一例を示すフローチャートである。
【図１２】本発明に係る導電性フイルムの配線パターンの決定方法の他の一例を示すフローチャートである。
【図１３】（Ａ）は、本発明に係る導電性フイルムが適用される表示ユニットのバックライトユニットのプリズムシートのマイクロプリズム列パターンの一例を表す概略説明図であり、（Ｂ）は、本発明に係る導電性フイルムの配線パターンの一例を表す概略説明図であり、（Ｃ）は、（Ｂ）の導電性フイルムの配線パターンが重畳される表示ユニットの画素配列パターンの一例を表す概略説明図であり、（Ｄ）は、（Ｃ）の画素配列パターンの部分拡大図である。
【図１４】図１１に示す配線パターンの決定方法の透過画像データの作成において行われる折返処理の一例を表す概略説明図である。
【図１５】図１３（Ｃ)に示す表示ユニットの画素配列パターンのスペクトルピークの位置を示すグラフの一例である
【図１６】図１１に示す配線パターンの決定方法で求められたプリズムシートのマイクロプリズム列パターン（ＰＳ）、導電性フイルムの配線パターン（ＥＣ）及び表示ユニットの画素配列パターン（ＢＭ）のピーク周波数を空間周波数座標上にプロットしたグラフの一例である。
【図１７】（Ａ）及び（Ｂ）は、それぞれ本発明の対象となる表示ユニットの画素配列パターン（ＢＭ）及び導電性フイルムの配線パターン（ＥＣ）のピーク周波数を空間周波数座標上にプロットしたグラフ、及び画素配列パターン（ＢＭ）と配線パターン（ＥＣ）のモアレの周波数を空間周波数座標上にプロットしたグラフの一例である。
【図１８】本発明の対象となるプリズムシートのマイクロプリズム列パターン（ＰＳ）のピーク周波数を空間周波数座標上にプロットしたグラフの一例である。
【図１９】図１１に示す配線パターンの決定方法で求められたプリズムシートのマイクロプリズム列パターン、導電性フイルムの配線パターン及び表示ユニットの画素配列パターンの３者のモアレ（３−ＭＯＩＲＥ）の周波数、配線パターン及び画素配列パターンの２者のモアレ（２−ＭＯＩＲＥ）の周波数、マイクロプリズム列パターン（ＰＳ）のピーク周波数のグラフの一例である。
【図２０】人間の標準視覚応答特性の一例を表すグラフである。
【図２１】（Ａ）は、バックライトのプリズムシートの一例の断面図であり、（Ｂ）及び（Ｃ）は、それぞれ（Ａ）に示すプリズムシートを正面及び斜め方向から観察した場合のプリズムシートの周期性を示す図である。
【発明を実施するための形態】
【００２６】
以下に、本発明に係る導電性フイルム、それを備える表示装置及びタッチパネル、並びに導電性フイルムのパターンの決定方法を添付の図面に示す好適な実施形態を参照して詳細に説明する。
以下では、本発明に係る導電性フイルムについて、タッチパネル用の導電性フイルムを代表例として説明するが、本発明は、これに限定されず、プリズムシートを用いるバックライトを備える表示装置である、液晶ディスプレイ（ＬＣＤ：Liquid Crystal Display）やプラズマディスプレイ（ＰＤＰ：Plasma Display Panel）や有機ＥＬディスプレイ（ＯＥＬＤ：Ｏrganic ＥlectroＬuminescence Ｄisplay）や無機ＥＬディスプレイ等の表示装置の表示ユニット上に設置される導電性フイルムであれば、どのようなものでも良く、例えば、電磁波シールド用の導電性フイルム等であっても良いのはもちろんである。
【００２７】
図１及び図２は、それぞれ本発明の第１の実施形態に係る導電性フイルムの一例を模式的に示す部分拡大平面図及びその模式的部分断面図である。なお、図１には、本実施形態の導電性フイルムのメッシュ形状配線パターンの一部を拡大して示す。
これらの図に示すように、本実施形態の導電性フイルム１０は、プリズムシートを用いるバックライトを備える表示装置の表示ユニット上に設置されるもので、プリズムシートのマイクロプリズム列パターン（以下、プリズムパターンという）及び表示ユニットのブラックマトリックス（ＢＭ：Black Matrix）に対してモアレの発生の抑止の点で優れた配線パターン、特に、ブラックマトリックスパターン（以下、ＢＭパターンという）に重畳した際にプリズムパターン及びＢＭパターンに対してモアレの視認性の点で最適化された配線パターンを持つ導電性フィルムであり、図２に示すように、透明基体１２と、透明基体１０の一方の面（図２中上側の面）に形成され、複数の金属製の細線（以下、金属細線という）１４からなる導電部１６と、導電部１６の略全面に、金属細線１４を被覆するように、接着層１８を介して接着された保護層２０とを有する。
【００２８】
透明基体１２は、絶縁性を有し、かつ透光性が高い材料からなり、例えば、樹脂、ガラス、シリコン等の材料を挙げることができる。樹脂としては、例えば、ＰＥＴ（Polyethylene Terephthalate）、ＰＭＭＡ（Polymethyl methacrylate）、ＰＰ（polypropylene）、ＰＳ（polystyrene）等が挙げられる。
導電部１６は、図１に示すように、金属細線１４と、隣接する金属細線１４間の開口部２２によるメッシュ形状の配線パターン２４とを有する。金属細線１４は、導電性の高い金属製の細線であれば特に制限的ではなく、例えば、金（Ａｕ）、銀（Ａｇ）又は銅（Ｃｕ）の線材等からなるものを挙げることができる。金属細線１４の線幅は、視認性の点からは細い方が好ましいが、例えば、３０μｍ以下であれば良い。なお、タッチパネル用途では、金属細線１４の線幅は０．１μｍ以上１５μｍ以下が好ましく、１μｍ以上９μｍ以下がより好ましく、２μｍ以上７μｍ以下がさらに好ましい。
【００２９】
導電部１６は、詳細には、複数の金属細線１４をメッシュ状を配列した配線パターン２４を有する。図示例においては、開口部２２のメッシュ形状は菱形であるが、本発明はこれに限定されず、後述する所定のプリズムパターン及び所定のＢＭパターンに対してモアレ視認性が最適化された配線パターン２４を構成できれば、少なくとも３辺を有する多角形状であれば如何なるものでも良く、また、同一メッシュ形状であっても、異なるメッシュ形状であっても良く、例えば、正三角形、二等辺三角形等の三角形や、正方形、長方形等の四角形（矩形）や、五角形や、六角形等の、同一又は異なる多角形等を挙げることができる。即ち、プリズムパターン及びＢＭパターンに対してモアレ視認性が最適化された配線パターンであれば、規則性のある開口部２２の配列によって構成される配線パターンでも、異なる形状の開口部２２の配列によってランダム化された配線パターンでも良い。
【００３０】
接着層１８の材料として、ウェットラミネート接着剤、ドライラミネート接着剤、又はホットメルト接着剤等が挙げられる。
保護層２０は、透明基体１２と同様に、樹脂、ガラス、シリコンを含む透光性が高い材料からなる。保護層２０の屈折率ｎ１は、透明基体１２の屈折率ｎ０に等しいか、これに近い値であるのが好ましい。この場合、保護層２０に対する透明基体１２の相対屈折率ｎｒ１は１に近い値となる。
【００３１】
ここで、本明細書における屈折率は、波長５８９．３ｎｍ（ナトリウムのＤ線）の光における屈折率を意味し、例えば樹脂では、国際標準規格であるＩＳＯ  １４７８２：１９９９（ＪＩＳ  Ｋ  ７１０５に対応）で定義される。また、保護層２０に対する透明基体１２の相対屈折率ｎｒ１は、ｎｒ１＝（ｎ１／ｎ０）で定義される。ここで、相対屈折率ｎｒ１は、０．８６以上１．１５以下の範囲にあればよく、より好ましくは、０．９１以上１．０８以下である。
相対屈折率ｎｒ１の範囲をこの範囲に限定して、透明基体１２と保護層２０との部材間の光の透過率を制御することにより、モアレの視認性をより向上させ、改善することができる。
【００３２】
上述した第１の実施形態の導電性フイルム１０は、透明基体１２の一方の面のみに導電部１６を有するものであるが、本発明は、これに限定されず、透明基体１２の両面に導電部を有するものであっても良い。
図３は、本発明の第２の実施形態に係る導電性フイルムの一例を示す模式的部分断面図である。図４に、図３に示す本第２の実施形態の導電性フイルムの平面図を模式的に示す。なお、図４に示す本実施形態の導電性フイルムの部分拡大平面図は、図１に示す第１の実施形態の導電性フイルムの部分拡大平面図と同様であるのでここでは省略する。
【００３３】
図３及び図４に示すように、本第２の実施形態の導電性フイルム１１は、透明基体１２の一方（図３の上側）の面に形成された第１導電部１６ａ及びダミー電極部２６と、透明基体１２の他方（図３の下側）の面に形成された第２導電部１６ｂと、第１導電部１６ａ及び第１ダミー電極部２６ａの略全面に第１接着層１８ａを介して接着された第１保護層２０ａと、第２導電部１６ｂの略全面に第２接着層１８ｂを介して接着された第２保護層２０ｂとを有する。
【００３４】
導電性フイルム１１においては、第１導電部１６ａ及びダミー電極部２６は、それぞれ複数の金属細線１４からなり、共に、透明基体１２の一方（図３の上側）の面に形成され、第２導電部１６ｂは、複数の金属細線１４からなり、透明基体１２の他方（図３の下側）の面に形成されている。ここで、ダミー電極部２６は、第１導電部１６ａと同様に、透明基体１２の一方（図３の上側）の面に形成されるが、図示例のように、他方（図３の下側）の面に形成された第２導電部１６ｂの複数の金属細線１４に対応する位置に同様に配列された複数の金属細線１４からなる。
【００３５】
ダミー電極部２６は、第１導電部１６ａと所定間隔だけ離間して配置されており、第１導電部１６ａと電気的に絶縁された状態下にある。
本実施形態の導電性フィルム１１においては、透明基体１２の一方（図３の上側）の面にも、透明基体１２の他方（図３の下側）の面に形成されている第２導電部１６ｂの複数の金属細線１４に対応する複数の金属細線１４からなるダミー電極部２６を形成しているので、透明基体１２の一方（図３の上側）の面での金属細線による散乱を制御することができ、電極視認性を改善することができる。
【００３６】
ここで、第１導電部１６ａ及びダミー電極部２６は、金属細線１４と開口部２２によるメッシュ状の配線パターン２４とを有する。また、第２導電部１６ｂは、第１導電部１６ａと同様に、金属細線１４と開口部２２によるメッシュ状の配線パターン２４を有する（図４参照）。上述したように、透明基体１２は絶縁性材料からなり、第２導電部１６ｂは、第１導電部１６ａ及びダミー電極部２６と電気的に絶縁された状態下にある。
なお、第１、第２導電部１６ａ、１６ｂ及びダミー電極部２６は、それぞれ図２に示す導電性フィルム１０の導電部１６と同様の材料で同様に形成することができる。
【００３７】
第１保護層２０ａは、第１導電部１６ａ及びダミー電極部２６のそれぞれの金属細線１４を被覆するように、第１接着層１８ａによって第１導電部１６ａ及びダミー電極部２６の略全面に接着されている。
また、第２保護層２０ｂは、第２導電部１６ｂの金属細線１４を被覆するように、第２接着層１８ｂによって第２導電部１６ｂの略全面に接着されている。
ここで、第１接着層１８ａ及び第２接着層１８ｂは、それぞれ図２に示す導電性フィルム１０の接着層１８と同様の材料で同様に形成することができるが、第１接着層１８ａの材質と第２接着層１８ｂの材質とは、同一であってもよいし、異なってもよい。
また、第１保護層２０ａ及び第２保護層２０ｂは、それぞれ図２に示す導電性フィルム１０の保護層２０と同様の材料で同様に形成することができるが、第１保護層２０ａの材質と第２保護層２０ｂの材質とは、同一であってもよいし、異なってもよい。
【００３８】
第１保護層２０ａの屈折率ｎ２及び第２保護層２０ｂの屈折率ｎ３は、いずれも、上記第１の実施形態の導電フィルム１０の保護層２０と同様に、透明基体１２の屈折率ｎ０に等しいか、これに近い値である。この場合、第１保護層２０ａに対する透明基体１２の相対屈折率ｎｒ２及び第２保護層２０ｂに対する透明基体１２の相対屈折率ｎｒ３は、共に１に近い値である。ここで、屈折率及び相対屈折率の定義は、上記第１の実施形態における定義通りである。したがって、第１保護層２０ａに対する透明基体１２の相対屈折率ｎｒ２は、ｎｒ２＝（ｎ２／ｎ０）で定義され、第１保護層２０ｂに対する透明基体１２の相対屈折率ｎｒ３は、ｎｒ２＝（ｎ３／ｎ０）で定義される。
ここで、相対屈折率ｎｒ２及び相対屈折率ｎｒ３は、上述した相対屈折率ｎｒ１と同様に、０．８６以上１．１５以下の範囲にあればよく、より好ましくは、０．９１以上１．０８以下である。
なお、相対屈折率ｎｒ２、及び相対屈折率ｎｒ３の範囲をこの範囲に限定することにより、相対屈折率ｎｒ１の範囲の限定と同様に、モアレの視認性をより向上させることができる。
【００３９】
上述した本発明の第１の実施形態の導電性フイルム１０及び第２の実施形態の導電性フイルム１１は、例えば、後述する図５に模式的に示す表示ユニット３０（表示部）のタッチパネルに適用されるが、表示ユニット３０の画素配列パターン、即ちブラックマトリックス（以下、ＢＭともいう）パターン及び表示ユニット３０のバックライトユニット４２のプリズムシート７６のプリズムパターンに対してモアレ視認性の点で最適化された配線パターンを持つものである。なお、本発明では、ＢＭ（画素配列）パターン及びプリズムパターンに対してモアレ視認性の点で最適化された配線パターンとは、所定のＢＭパターン及びプリズムパターンに対してモアレが人間の視覚に知覚されない１又は２以上の１群の配線パターンを言う。なお、本発明では、最適化された２以上の１群の配線パターンにおいても、最も知覚されない配線パターンから知覚されにくい配線パターンまで序列を付けることができ、最もモアレが知覚されない１つの配線パターンを決定することもできる。
なお、所定のＢＭパターン及びプリズムパターンに対する配線パターンのモアレ視認性の最適化については、後述する。
本発明の導電性フィルムは、基本的に以上のように構成される。
【００４０】
次に、本発明の導電性フイルムを組み込んだ表示装置について、図５及び図６を参照しながら説明する。
図５は、図３に示す導電性フイルムを組み込んだ表示装置の一実施例の概略断面図である。図６は、図５に示す表示装置の具体的な構成を模式的に示す断面模式図である。
図５及び図６では、表示装置４０として、本発明の第２の実施の形態に係る導電性フイルム１１を組み込んだ投影型静電容量方式のタッチパネルを代表例に挙げて説明するが、本発明はこれに限定さないことは言うまでもない。
【００４１】
図５に示すように、表示装置４０は、カラー画像及び／又はモノクロ画像を表示可能な表示ユニット３０（図３参照）と、表示ユニット３０のバックライトユニット４２と、入力面４４ａ（矢印Ｚ１方向側）からの接触位置を検出するタッチパネル４４と、表示ユニット３０，バックライトユニット４２及びタッチパネル４４を収容する筐体４６とを有する。筐体４６の一面（矢印Ｚ１方向側）に設けられた大きな開口部を介して、ユーザは、タッチパネル４４にアクセス可能である。
【００４２】
タッチパネル４４は、上記した導電性フイルム１１（図１及び図３参照）の他、導電性フイルム１１の一面（矢印Ｚ１方向側）に積層されたカバー部材４８と、ケーブル５０を介して導電性フイルム１１に電気的に接続されたフレキシブル基板５２と、フレキシブル基板５２上に配置された検出制御部５４とを備える。
【００４３】
表示ユニット３０の一面（矢印Ｚ１方向側）には、接着層５６を介して、導電性フイルム１１が接着されている。導電性フイルム１１は、他方の主面側（第２導電部１６ｂ側）を表示ユニット３０に対向させて、表示画面上に配置されている。
【００４４】
カバー部材４８は、導電性フイルム１１の一面を被覆することで、入力面４４ａとしての機能を発揮する。また、接触体５８（例えば、指やスタイラスペン）による直接的な接触を防止することで、擦り傷の発生や、塵埃の付着等を抑止可能であり、導電性フイルム１１の導電性を安定させることができる。
【００４５】
カバー部材４８の材質は、例えば、ガラス、樹脂フイルムであってもよい。カバー部材４８の一面（矢印Ｚ２方向側）を酸化珪素等でコートした状態で、導電性フイルム１１の一面（矢印Ｚ１方向側）に密着させてもよい。また、擦れ等による損傷を防止するため、導電性フイルム１１及びカバー部材４８を貼り合わせて構成してもよい。
【００４６】
フレキシブル基板５２は、可撓性を備える電子基板である。本図示例では、筐体４６の側面内壁に固定されているが、配設位置は種々変更してもよい。検出制御部５４は、導体である接触体５８を入力面４４ａに接触する（又は近づける）際、接触体５８と導電性フイルム１１との間での静電容量の変化を捉えて、その接触位置（又は近接位置）を検出する電子回路を構成する。
【００４７】
表示ユニット３０は、図６に示すように、液晶表示パネルであって、図中下側から、偏光フィルタ（偏光板）３２ａと、配線、ＴＦＴ回路、及びサブ画素となる電極等を含むアレイ基板３４と、液晶材料を含む液晶層３６と、カラーフィルタ、ブラックマトリクス（ＢＭ６４：図７参照）、及び共通電極等を含むカラーフィルタ基板３８と、偏光フィルタ（偏光板）３２ｂとを有する。
表示ユニット３０の構成要素である一対の偏光フィルタ３２ａ、３２ｂ、アレイ基板３４、液晶層３６、及びカラーフィルタ基板３８は、特に制限的ではなく、従来公知のものを用いることができる。
なお、表示ユニット３０は、図６に示す液晶表示パネルに限定されないのは、上述した通りである。
【００４８】
図７は、本発明の導電性フィルムが適用される表示ユニットのカラーフィルタ基板の画素配列パターンの一例を模式的に表す概略説明図である。
図７に示すように、表示ユニット３０のカラーフィルタ基板３８には、複数の画素６２がマトリクス状に配列されて所定の画素配列パターンが構成されている。１つの画素６２は、３つの副画素（赤色副画素６２ｒ、緑色副画素６２ｇ及び青色副画素６２ｂ）が水平方向に配列されて構成されている。１つの副画素は垂直方向に縦長とされた長方形状とされている。画素６２の水平方向の配列ピッチ（水平画素ピッチＰｈ）と画素６２の垂直方向の配列ピッチ（垂直画素ピッチＰｖ）は略同じとされている。つまり、１つの画素６２とこの１つの画素６２を囲むブラックマトリクス（ＢＭ）６４（パターン材）にて構成される形状（網掛けにて示す領域６６を参照）は正方形となっている。また、１つの画素６２のアスペクト比は１ではなく、水平方向（横）の長さ＞垂直方向（縦）の長さとなっている。
【００４９】
図７から明らかなように、複数の画素６２の各々の副画素６２ｒ、６２ｇ及び６２ｂによって構成される画素配列パターンは、これらの副画素６２ｒ、６２ｇ及び６２ｂをそれぞれ囲むＢＭ６４のＢＭパターン６８によって規定され、表示ユニット３０と導電性フイルム１０又は１１とを重畳した時に発生するモアレは、表示ユニット３０のカラーフィルタ基板３８のＢＭ６４のＢＭパターン６８と導電性フイルム１０又は１１の配線パターン２４とバックライトユニット４２のプリズムシート７６のプリズムパターン７７（図２１（Ａ）参照）との干渉によって発生するので、厳密には、ＢＭパターン６８は、画素配列パターンの反転パターンであるが、ここでは、同様のパターンを表すものとして扱う。
【００５０】
上記したＢＭ６４によって構成されるＢＭパターン６８を有する表示ユニット３０の表示部上に、例えば、導電性フイルム１０又は１１を配置する場合、導電性フイルム１１の配線パターン２４は、ＢＭ（画素配列）パターン６８に対してモアレ視認性の点で最適化されているので、画素６２の配列周期と、導電性フイルム１０又は１１の金属細線１４の配線配列と、バックライトユニット４２のプリズムシート７６のマイクロプリズム７５（図２１（Ａ）参照）の配列の間における空間周波数の干渉が殆どなく、モアレの発生が抑制されることになる。
なお、図７に示す表示ユニット３０は、図示例の液晶パネルの他、プラズマパネル、有機ＥＬパネル、無機ＥＬパネル等の表示パネルで構成されてもよい。
【００５１】
バックライトユニット４２は、全面に均一な輝度分布を持つ、より好ましくは、中央部で均一な輝度分布を持ちで極周辺部で輝度が低下する釣鐘状の輝度分布を持つ面状光を射出し、表示ユニット３０のバックライトとして供給するためのもので、図６に示すように、表示ユニット３０の裏面側、図中下側に配置されるものであって、光源７０と、導光板７２と、光源７０の裏側に配設される光源反射シート（反射板）７４ａと、導光板７２の裏面側及び端面側に配設される反射シート（反射板）７４ｂと、導光板７２の表面側（表示ユニット３０側）に配置される２枚のプリズムシート７６（７６ａ、７６ｂ）と、プリズムシート７６上に配置される拡散シート７８とを有する。
ここで、光源７０は、導光板７２の入射面に入射させる光を照射するもので、光入射面に対向して配置され、光入射面に平行に延在する蛍光管、ＬＤ（レーダダイオード）アレイ、ＬＥＤ（発光ダイオード）アレイ等、従来公知の光源を用いることができる。なお、光源７０は、導光板７２の４つの内、図示例のように１辺の光入射面に配置されるものに限定されず、対向する２辺の光入射面、互いに対向する４辺の光入射面に配置されるものであっても良い。
【００５２】
導光板７２は、表示ユニット３０側に矩形状の光出射面と、光出射面の４辺を含む４方の側面の少なくとも１つに光入射面とを持つ透明な平板からなり、光源７０から出射され、光入射面から入射した光を、光出射面に平行な内部方向に伝搬するためのものである。
導光板７２は、図示例では、直方体状の平板であるが、本発明は、これに限定されず、光出射面と対向する裏面は、光入射面側から他端側に向かって厚みが厚く若しくは薄くなるように傾斜するものであっても良いし、中央部が凸部又は凹部となるように中央部に向かって傾斜するものであっても良いし、タンデムタイプのように、段々に傾斜するものであっても良い。
また、導光板７２は、光出射面に平行な内部方向への入射光の伝搬を促進するため、又は、表示ユニット３０側の光出射面への入射光の進行を促進するために、内部での入射光を反射させるために、入射光を散乱させる散乱粒子を内部に分散させたものであっても良い。
なお、導光板７２は、光出射面における出射光の輝度分布が少なくとも中央部分全面で均一になるように、その形状や内部の散乱粒子の分散状態を調整したものであるのが好ましい。
【００５３】
光源反射シート７４ａは、導光板７２の光入射面を除いて、光源７０の裏側から光源７０を覆うように配設され、光源７０から出射され、導光板７２の光入射面に入射しなかった光を光入射面側に反射させるためのものである。
反射シート７４ｂは、導光板７２の裏面全面、及び図示例では、光入射面と対向する端面全面を覆うように配設され、光源７０から出射され、導光板７２の光入射面から入射し、裏面及び端面から出射した光を反射させ、再び、裏面及び端面から導光板７２の内部に入射させるためのものである。
【００５４】
プリズムシート７６は、導光板７２の光出射面（特に中央領域）から出射される光の輝度分布を光出射面状でより均一にするためのもので、図２１（Ａ）に示すように、断面形状が微少３角形である平行なマイクロプリズム列７５が多数形成された透明なシートであって、好ましくは、図５に示す例のように、列状のマイクロプリズム列７５の配列方向、即ちマイクロプリズム列パターン（プリズムパターン）７７が互いに略直交する２枚のプリズムシート７６ａ，７６ｂを備えるのが好ましい。
このような２枚のプリズムシート７６ａ及び７６ｂのプリズムパターンをそれぞれ図８（Ａ）及び（Ｂ）に示す。なお、図８（Ａ）に示すプリズムシート７６ａのプリズムパターン７７は、そのピッチが５０μｍ、傾斜角が１３８°であり、図８（Ｂ）に示すプリズムシート７６ｂのプリズムパターン７７は、そのピッチが５０μｍ、傾斜角が５０°であり、両パターン７７が略直交していることが分かる。
なお、本発明に用いられるプリズムシート７６のプリズムパターン７７のピッチは、特に制限的ではないが、表示ユニット３０のＢＭ６４と導電性フイルム１０又は１１の導電部１６又は１６ａ，１６ｂとバックライトユニット４２のプリズムシート７６との干渉によるモアレの発生の抑制の必要性の点からは、２０μｍ〜５０μｍであるのが好ましい。
【００５５】
拡散シート７８は、導光板７２の光出射面（特に中央領域）から出射される光の輝度分布を光出射面状でさらにより均一にするためのもので、プリズムシート７６、好ましくは２枚のプリズムシート７６ａ，７６ｂを透過してきた光の輝度分布を均一にすると共に、照度ムラ等をさらに視認され難くするためのものである。上述したプリズムシート７６（７６ａ，７６ｂ）によって導光板７２の出射光のムラが視認できなくなるほど低減されている場合には、拡散シート７８は設けなくても良い。
なお、プリズムシート７６（７６ａ，７６ｂ）や拡散シート７８は、バックライトユニット４２から出射される光のムラを除くための光学シート（光学部材）であるので、必要に応じてその枚数を増減しても良いし、光のムラの抑制に効果のある、その他の光学フィルムを用いても良いのはもちろんである。
なお、本発明に用いられるバックライトユニットは、図６に示すバックライトユニット４２に限定されず、プリズムシートを用いるもの、プリズムシートの代わりにプリズム面を持つ導光板や導光シートを用いるものであれば、特許文献２〜４に開示のバックライトを始めとして、従来公知のバックライトを用いることができ、また、図示例のエッジライト（サイドライト、又は導光板）方式のバックライトに限定されず、直下型でも良いのはもちろんである。
【００５６】
以上のように構成される表示装置４０において、バックライトユニット４２のプリズムシート７６の所定のプリズムパターン７７と、表示ユニット３０の所定のＢＭパターン６８と、導電性フイルム１０又は１１の配線パターン２４との間において、考慮しなければならない干渉については、以下のように考えることができる。その結果を図９に示す。
図９に示すように、ＢＭ（画素配列）パターン、配線パターン及びプリズムパターン（プリズムシート）には、それぞれ、光学的に、平均透過率を示す０周波成分と、周波数特性示す周波数成分とを有し、ここでは、それぞれ、ＤＣ成分とＡＣ成分とする。ここで、ＢＭ（画素配列）パターン、配線パターン及びプリズムパターン（プリズムシート）との間においてモアレの発生に関して考慮しなければならない干渉は、２つのＡＣ成分による干渉の３つのケースと、３つのＡＣ成分による干渉の１つのケースが存在する。
【００５７】
ここで、２つのＡＣ成分による干渉の３つのケースの内、ＢＭパターンとプリズムパターンとがＡＣ成分である干渉の場合には、例えば、特許文献２〜４等に開示の公知の従来技術によって両者の干渉によるモアレを解消することができ、ＢＭパターンと配線パターンとがＡＣ成分である干渉の場合には、例えば、特許文献１等に開示の公知の従来技術等によっても両者の干渉によるモアレを解消することができる。
しかしながら、２つのＡＣ成分による干渉の３つのケースの内の配線パターン及びプリズムパターンとがＡＣ成分である干渉の場合と、ＢＭパターン、配線パターン及びプリズムパターンの３つのＡＣ成分による干渉の場合に発生するモアレについては、十分には解消されていない。
このため、本発明においては、少なくとも、これらの２つのケースについて、配線パターンの最適化を行い、配線パターン及びプリズムパターンの２者、及びＢＭパターン、配線パターン及びプリズムパターンの３者の干渉によって発生するモアレを抑制することができ、従って、これらの３者を用いる際のモアレの発生を抑制することができる配線パターンを持つ導電性フィルムを提供する。
【００５８】
そこで、以上のように構成される本実施形態の表示装置４０において、プリズムシート７６のプリズムパターン７７と、表示ユニット３０のＢＭパターン６８との２者の干渉によって発生するモアレについては、上記特許文献２〜４等に開示の技術を始めとする従来公知の技術によって、プリズムパターン７７とＢＭパターン６８とを最適化することができるものである。
したがって、ここでは、配線パターン２４の最適化を行う際には、プリズムシート７６のプリズムパターン７７と表示ユニット３０のＢＭパターン６８とは、予め設定されており、両者のパターンの最適化は成されており、両者の干渉によるモアレは視認されないものとする。
なお、表示ユニット３０の所定のＢＭパターン６８と、導電性フイルム１０又は１１の配線パターン２４との２者の干渉によって発生するモアレについては、上記特許文献１等に開示の技術を始めとする従来公知の技術によって、若しくは、本出願人の出願に係る特願２０１１−２２１４３２号、特願２０１２-０８２７０６号、特願２０１２-０８２７１１号及び特願２０１２-１６６９４６号の明細書に記載の技術によって、ＢＭパターン６８と配線パターン２４とを最適化することができ、モアレの発生を抑制することができる。
【００５９】
そこで、まず第１に、本発明の第１実施形態においては、導電性フイルム１０又は１１の配線パターン２４と、プリズムシート７６のプリズムパターン７７との干渉によって発生するモアレについては、配線パターン２４の透過率画像データの２次元フーリエスペクトルの複数のスペクトルピークのピーク空間周波数と、プリズムパターン７７の透過率画像データの２次元フーリエスペクトルの２次の項までのスペクトルピークのピーク空間周波数との差分（モアレの周波数）を、３サイクル／ｍｍ超となるように、配線パターン２４を最適化する。
これは、配線パターン２４とプリズムパターン７７との干渉によるモアレの抑制のための配線パターンの最適化をまず始めに行うのは、３つのパターンの干渉によるモアレより、２つのパターンの干渉によるモアレの方が強度が強く、視認され易い為である。
ここで、プリズムパターン７７に対して、２次元フーリエスペクトルの２次の項迄のスペクトルピークのピーク空間周波数だけを考慮するのは、２次元フーリエスペクトルのスペクトルピークは、高次になる程ピーク強度が減衰し、２次の項で大凡１／１０程度となり、３次より高次の項のピーク強度は、それ以下となるため、無視しても、視認される程のモアレとならず、大きな問題を生じないからである。
【００６０】
例えば、図１０（Ａ）にプリズムシート（ＰＳ）の透過率画像の一例を示す。なお、ＰＳの透過率分布は、ＰＳの製造メーカによっても異なるし、また、同じＰＳでも、視野角によって異なるので、ここでは、その一例として、マイクロプリズムのピッチが５０μｍである例を示す。図１０（Ａ）に示すＰＳの透過率画像の画像データに対してＦＦＴ処理を行って得られたこの透過率画像のＦＦＴ画像を、図１０（Ｂ）に示す。図１０（Ｂ）に示すＦＦＴ画像においては、スペクトルピークがマイクロプリズムのピッチの逆数、従って、図１０（Ｂ）に示す例では、２０サイクル／ｍｍ＝（１［ｍｍ］／（５０［μｍ］／［ピッチ］）で表れる。これらのスペクトルピークのピーク強度は、ｌｏｇ１０（ピーク強度)の絶対値で表した場合、中心から０．０９、０．７４、０．８２、１、及び１．４と順々に下がっていく。したがって、この例からも分かるように、スペクトルピークの２次の項までを考慮すれば、ピーク強度が大凡１／１０となり、モアレの視認性の点からは妥当である。因みに、３次の項を考慮すると、計算精度は上がるが、計算時間が掛かり過ぎ、実用的ではない。
したがって、本発明では、プリズムパターン７７においては、２次元フーリエスペクトルの２次の項迄のスペクトルピークのピーク空間周波数を考慮する。
【００６１】
また、モアレは、２つのパターンのスペクトルピークの空間周波数空間（座標）上で距離が近い程、即ち２つのパターンのスペクトルピークのピーク空間周波数との差分、即ちモアレの周波数が小さい程、視認しやすくなるため、モアレが初めて視認できるようになる周波数が存在し、その周波数を最低の周波数とすると、最低の周波数より高周波であればモアレは視認されないことになる。
そこで、本発明で、上記２つのパターンの全ピーク空間周波数間の差分（モアレの周波数）を３サイクル／ｍｍ超とするのは、そうすることにより、３サイクル／ｍｍは、モアレを視認できる最低の周波数以上であり、両パターンの全ピーク空間周波数間の差分を最低の周波数より高周波にすることができるからである。
なお、本発明においても、上記２つのパターンのピーク空間周波数間の差分（モアレの周波数）が３サイクル／ｍｍ以内であっても、２つのパターンのスペクトルピークのピーク強度のよっては、モアレが視認されない場合もあるが、図８（Ａ)及び（Ｂ）に示すように、正面から見た場合と斜め方向から見た場合とでは、プリズムパターンのスペクトルピークのピーク強度が大きく変化するため、すなわち視野角が変化するとピーク強度が変化するため、ピーク強度を考慮することなく、ピーク周波数のみによって最適化するのが良く、確実である。
【００６２】
次に、第２に、本発明の第２実施形態においては、バックライトユニット４２のプリズムシート７６の所定のプリズムパターン７７と、表示ユニット３０の所定のＢＭパターン６８と、導電性フイルム１０又は１１の配線パターン２４との３者の干渉によって発生するモアレについては、この視認されるモアレの最低の周波数が、配線パターン２４とＢＭパターン６８との干渉によって得られるモアレの最低の周波数よりも高周波側に来るように、配線パターン２４を最適化する。
その理由は、これらの３者の干渉によって視認されるモアレの最低の周波数が、配線パターンとＢＭパターンとの干渉によって得られるモアレの最低の周波数よりも高周波側にあれば、プリズムパターンと配線パターンとの組み合わせであっても、プリズムパターンとＢＭパターンとの組み合わせであっても、さらに、プリズムパターンと配線パターンとＢＭパターンとの組み合わせであっても、モアレは視認されないからである。
【００６３】
なお、プリズムパターン７７と、ＢＭパターン６８と、配線パターン２４との３者の干渉によって得られるモアレは、３者の内の２者、例えば、ＢＭパターン６８と配線パターン２４との２者の干渉によって生じるモアレの繰り返しパターンと、３者の内の残りの１者、例えば、プリズムパターン７７の繰り返しパターンと、の干渉によって生じるモアレであるということができる。
したがって、上記３者の内の２者、例えばＢＭパターン６８と配線パターン２４との２者の干渉によって生じるモアレの周波数ピーク（スペクトルピーク）の周波数（ピーク周波数）と、上記３者の内の残りの１者、例えばプリズムパターン７７のピーク周波数との差分で求められる上記３者の干渉によって視認されるモアレの最低周波数が、ＢＭパターン６８と配線パターン２４との２者の干渉によって得られるモアレの最低周波数よりも高周波側に来るようにすれば、上記３者の干渉によるモアレが視認されないようにすることができ、上記３者を最適化することができる。したがって、プリズムパターン７７とＢＭパターン６８とが最適化された表示装置に対して、配線パターン２４を最適化することができることは言うまでもない。
【００６４】
なお、さらに、配線パターン２４と、ＢＭパターン６８とのとの干渉によって得られるモアレについても、配線パターン２４のピーク空間周波数と、ＢＭパターン６８の透過率画像データの２次元フーリエスペクトルの複数のスペクトルピークのピーク空間周波数との差分が、３サイクル／ｍｍ超であるのが好ましい。
また、ＢＭパターン６８と、プリズムパターン７７との干渉によって得られるモアレについても、ＢＭパターンのピーク空間周波数と、プリズムパターン７７のピーク空間周波数との差分が、３サイクル／ｍｍ超であるのも好ましい。
これらにより、これらの２つのパターン間のモアレは、いずれの場合も視認されなくなるからである。
本発明の導電性フィルムが適用される表示装置は、基本的に以上のように構成される。
【００６５】
次に、本発明において、表示装置のバックライトユニットのプリズムシートの所定のプリズムパターン及び表示ユニットの所定のＢＭパターンに対する導電性フイルムの配線パターンのモアレ視認性の評価及び最適化の手順について説明する。即ち、本発明の導電性フイルムにおいて、表示装置のバックライトユニットのプリズムシートの所定のプリズムパターン及び表示ユニットの所定のＢＭパターンに対してモアレが人間の視覚に知覚されないように最適化された配線パターンを決定する手順について説明する。
【００６６】
本発明の導電性フイルムの配線パターンの決定方法の第１実施形態は、図１１に示すように、表示装置のバックライトユニットのプリズムシートのプリズム（マイクロプリズム列）パターンと導電性フイルムの配線パターンとの高速フーリエ変換（ＦＦＴ）を用いた周波数解析により得られるプリズムパターンの２次の項までの各スペクトルピークのピーク空間周波数と、配線パターンの複数のスペクトルピークのピーク空間周波数と算出し、算出した両パターンの各スペクトルピークのピーク空間周波数から両パターンのスペクトルピーク間のピーク空間周波数の差分を算出し、各スペクトルピーク間について算出されたピーク空間周波数の差分が、全て３サイクル／ｍｍ超となる条件を満たす配線パターンを、第１のモアレが視認されないように最適化された配線パターンとして決定するものである。
【００６７】
本発明の導電性フイルムの配線パターンの決定方法の第２実施形態は、図１２に示すように、表示装置のバックライトユニットのプリズムシートのプリズムパターンと表示ユニットの画素配列（ＢＭ）パターンと導電性フイルムの配線パターンとの３者の高速フーリエ変換（ＦＦＴ）を用いた周波数解析を行い、上記３者が干渉して視認される第２のモアレの周波数を算出して、算出された第２のモアレの周波数の中から第２のモアレの最低の周波数を決定すると共に、配線パターンとＢＭパターンとの干渉によって得られる第３のモアレの周波数を算出し、算出された第３のモアレの周波数の中から第３のモアレの最低の周波数を決定し、第２のモアレの最低の周波数が第３のモアレの最低の周波数より高周波側となる条件を満たす配線パターンを、第２のモアレが視認されないように最適化された配線パターンとして決定するものである。
なお、これらの本発明法では、モアレの周波数については一般的にＦＦＴが利用されるが、利用方法によっては、対象物の周波数が大きく変化するため、以下の手順を規定している。
【００６８】
まず、図１１を参照して、本発明の導電性フイルムの配線パターンの決定方法の第１実施形態について説明する。
図１１は、本発明の導電性フイルムの配線パターンの決定方法の第１実施形態の一例を示すフローチャートである。
なお、図１１に示す例は、本発明法の第１及び第２実施形態を別々に独立して行うのではなく、本発明法の第１実施形態に続いて第２実施形態を行うものであるが、本発明法はこれに限定されず、別々に行うものであっても良いことはもちろんである。
本発明法の第１実施形態においては、まず、手順１として、プリズムパターン、配線パターン及びＢＭパターンの透過率画像データの作成を行う。即ち、図１１に示すように、ステップＳ１０において、図５に示す表示装置４０のバックライトユニット４２のプリズムシート７６のプリズムパターン７７（図８参照）の透過率画像データと、導電性フィルム８０の配線パターン８２（金属細線１４）（図１３（Ｂ）参照）の透過率画像データと、表示ユニット３０のＢＭパターン６８（ＢＭ６４）（図７参照）の透過率画像データとを作成して、取得する。なお、予め、ＢＭパターン６８の透過率画像データと、配線パターン８２の透過率画像データと、プリズムパターン７７の透過率画像データとが準備、若しくは蓄えられている場合には、準備、若しくは蓄えられた中から取得するようにしても良い。ここで、プリズムパターン、配線パターン及びＢＭパターンの透過率画像データを作成するのは、モアレを予測するためには、各パターンのピッチを正確に知る必要があるためである。
【００６９】
プリズムシート７６のプリズムパターン７７は、例えば、図１３（Ａ)に示すように、所定角度、例えば、５０°傾斜した所定ピッチの平行な傾斜線状パターンとすることができる。なお、本発明において、マイクロプリズム列７５の画像データ、即ちプリズムパターン７７の透過率画像データとしては、図１３（Ａ)に示されるものに限定されず、傾斜角度やピッチやマイクロプリズム列７５の断面形状は如何なるものであっても良い。
一方、導電性フィルム８０の配線パターン８２は、例えば、図１３（Ｂ)に示すように、配線となる金属細線１４が４５°[deg]傾いた正方格子とすることができる。
【００７０】
表示ユニット３０のＢＭパターン６８は、例えば、図１３（Ｃ)及びその部分拡大図である図１３（Ｄ)に示すように、１画素６２当たり、ＲＧＢの３色の副画素６２ｒ、６２ｇ及び６２ｂからなるパターンとすることができるが、単色を利用し、例えば、Ｇチャネルの副画素６２ｇのみ利用するときは、Ｒ及びＢチャネルの透過率画像データは０とするのが好ましい。本発明において、ＢＭ６４の画像データ、即ちＢＭパターン６８の透過率画像データとしては、図１３（Ｃ)に示されるように、ＢＭ６４の長方形の開口（副画素６２ｒ、６２ｇ及び６２ｂ）を持つものに限定されず、使用可能なＢＭパターンであればＢＭ６４の長方形の開口を持たないものでも良く、任意のＢＭ開口を持つＢＭパターンを指定して用いても良い。例えば、単純な矩形状のものに限定されず、複雑なくの字に屈曲したものや鉤状のものであっても良い。
【００７１】
なお、ここでは、プリズムパターン７７、配線パターン８２及びＢＭパターン６８の透過率画像データのサイズを規定し、例えば、４０９６（画素）×４０９６（画素）とした。また、後述する手順２のＦＦＴ処理時の周期のアーティファクトを防ぐ、若しくは低減するため、プリズムパターン７７、配線パターン８２及びＢＭパターン６８)の各画像は、図１４に示すように、全方向(８方向）に折り返し（ｆｌｉｐ）処理を行うのが好ましい。折り返し処理を行った後の新しい画像サイズは、図１４中の点線で囲まれた４画像分の領域内の画像（一辺８１９２（画素）＝４０９６（画素）×２）とするのが好ましい。
【００７２】
次に、手順２として、手順1で作成した透過率画像データに対して、２次元高速フーリエ変換（２ＤＦＦＴ（基底２））を行う。即ち、図１１に示すように、ステップＳ１２において、ステップＳ１０で作成したプリズムパターン７７、配線パターン８２及びＢＭパターン６８の各透過率画像データに対して２ＤＦＦＴ（基底２）処理を行い、プリズムパターン７７、配線パターン８２及びＢＭパターン６８の各透過率画像データの２次元フーリエスペクトルの複数のスペクトルピークのピーク周波数を算出する。
なお、図示しないが、プリズムパターン７７、配線パターン８２及びＢＭパターン６８の２次元フーリエスペクトルの強度特性をそれぞれ求め、求められた強度特性におけるスペクトルピークの周波数座標上の位置、即ちピーク位置をピーク周波数として求める。
この時、プリズムパターン７７については、上述したように、２次元フーリエスペクトルの２次の項迄のスペクトルピークのピーク空間周波数を考慮れば良い。
【００７３】
ここでは、プリズムパターン７７、配線パターン８２及びＢＭパターン６８の各スペクトルピークのピークの周波数は、以下のようにして算出して取得する。
まず、ピーク周波数の取得において、ピークの算出には、プリズムパターン７７、配線パターン８２及びＢＭパターン６８の基本周波数からスペクトルピーク（周波数ピーク）を求める。これは、２ＤＦＦＴ処理を行う透過率画像データは離散値であるため、ピーク周波数が、画像サイズの逆数に依存してしまうからである。スペクトルピークの位置は、図１５に示すように、独立した２次元基本周波数ベクトル成分ａバー及びｂバーを元に組み合わせて表すことができる。したがって、当然ながら、得られるピーク位置は格子状となる。なお、図１５は、ＢＭパターン６８の場合のスペクトルピーク位置を示すグラフであるが、プリズムパターン７７も、配線パターン８２も、同様にして求めることができる。
【００７４】
こうして得られたプリズムパターン７７、配線パターン８２及びＢＭパターン６８の各スペクトルピーク（周波数ピーク）のピーク周波数を２次元空間周波数座標上にプロットしたものを図１６に示す。図中、菱形は、導電性フィルム１０，１１の配線パターンＥＣのピーク周波数を示し、四角形は、表示ユニット３０のＢＭパターンＢＭのピーク周波数を示し、×印は、プリズムシート７６のプリズムパターンＰＳのピーク周波数を示す。図１６に示す例では、ＢＭパターン６８は、格子状である配線パターン８２に対して所定角度（略６０°）傾斜する格子状パターンであり、ＢＭパターン６８は、配線パターン８２に対して所定角度（略４５°）傾斜する平行パターンであることが分かる。
【００７５】
次に、手順３として、２つのパターンのピーク周波数の差分、即ち第１のモアレの周波数の算出を行う。ここで、例えば、プリズムパターン７７、配線パターン８２及びＢＭパターン６８のような規則的なパターンが２種類存在する場合のモアレの周波数は、各々の基本空間周波数特性の整数（図１５参照）に現れるピーク同士の差、及び和で表される。
ここでは、図１１に示すように、ステップＳ１４において、ステップＳ１２で算出したプリズムパターン７７、配線パターン８２及びＢＭパターン６８の内のそれぞれ２つのパターンの２次元フーリエスペクトルのピーク周波数からその差分、即ちモアレの周波数を算出する。
実空間においては、モアレは、本来、プリズムパターン７７、配線パターン８２及びＢＭパターン６８の各２つのパターンの透過率画像データの掛け算によって起こるため、周波数空間においては、両者の畳み込み積分（コンボリューション）を行うことになる。しかしながら、ステップＳ１２において、プリズムパターン７７、配線パターン８２及びＢＭパターン６８の各２次元フーリエスペクトルのピーク周波数が算出されているので、各２つのパターンの両者のそれぞれのピーク周波数同士の差分（差の絶対値）を求める。求められた２つのパターンのピーク周波数の差分をモアレの周波数とすることができる。
【００７６】
ここで、プリズムパターン７７、配線パターン８２及びＢＭパターン６８の中の各２つのパターンの２次元フーリエスペクトルの強度特性のそれぞれのピーク周波数同士の差分は、その中の２つのパターンの２次元フーリエスペクトルの強度特性を重ね合わせて得られる強度特性において、２つのパターンのそれぞれのスペクトルピークの周波数座標上のピーク位置間の相対距離に相当する。
なお、プリズムパターン７７、配線パターン８２及びＢＭパターン６８の中の各パターンの２次元フーリエスペクトルのスペクトルピークは、それぞれ複数存在するので、その中の２つのスペクトルピーク間の相対距離の値であるスペクトル（周波数）ピーク同士の差分（ピーク周波数の差分）、即ちモアレの周波数も複数求められる。したがって、２つのパターンにおいて２次元フーリエスペクトルのスペクトルピークが多数存在すると、求めるモアレの周波数情報も多数となり、計算処理に時間がかかることになる。このような場合は、予め各パターンの２次元フーリエスペクトルのスペクトルピークにおいて、それぞれピーク強度を求めておき、ピーク強度が強いもののみを選定しておいてもよい。例えば、上述したように、プリズムパターン７７の場合には、２次項までのスペクトルピークを選定しておけばよく、配線パターン８２及びＢＭパターン６８の場合には、例えば、人間の標準視覚応答特性（図２０参照）を畳み込んだ際に、特定の強度以上のもののみを選定しておいてもよい。この場合は、選定されたピーク同士の差分のみを求めることになるので、計算時間を短縮することができる。
【００７７】
次に、手順４として、モアレの視認性が最適化された配線パターンの決定を行う。
ここでは、図１１に示すように、ステップＳ１６において、ステップＳ１４で算出したプリズムパターン（ＰＳ）７７と配線パターン（ＥＣ）８２との両スペクトルピークのピーク周波数の差分を３サイクル／ｍｍと比較し、３サイクル／ｍｍ超か否かを判定する。
その結果、例えば、プリズムパターン７７、配線パターン８２及びＢＭパターン６８の各スペクトルピーク（周波数ピーク）のピーク周波数を２次元空間周波数座標上にプロットした図１６のグラフにおいて、丸で囲んだ位置においては、×印で示すプリズムパターンＥＣのスペクトルピークの２次の項までのピーク周波数と、菱形で示す配線パターンＥＣのピーク周波数とが近接しており、３サイクル／ｍｍ以下となり、視認されるモアレを発生させることになる。
なお、ステップＳ１６において、プリズムパターン（ＰＳ）７７と配線パターン（ＥＣ）８２とのピーク周波数の差分の代わりに、若しくはこの差分に加えてさらに、ステップＳ１４で算出した配線パターン（ＥＣ）８２とＢＭパターン（ＢＭ）６８との両スペクトルピークのピーク周波数の差分、又は、ステップＳ１４で算出したプリズムパターン（ＰＳ）７７とＢＭパターン（ＢＭ）６８との両スペクトルピークのピーク周波数の差分を３サイクル／ｍｍと比較し、３サイクル／ｍｍ超か否かを判定しても良い。
【００７８】
したがって、このピークの周波数の差分が３サイクル／ｍｍ以下である場合には、ステップＳ１８に移り、配線パターン８２の透過率画像データを新たな配線パターンの透過率画像データに更新して、ステップＳ１２に戻る。
ここで、更新される新たな配線パターンは、予め準備されたものであっても、新たに作成されたものであっても良い。なお、新たに作成され場合には、配線パターンの透過率画像データの回転角度、ピッチ、パターン幅のいずれか１つ以上を変化させても良いし、配線パターンの開口部の形状やサイズを変更するようにしても良い。更には、これらにランダム性を持たせても良い。
【００７９】
この後、ステップＳ１２のピーク周波数の算出、ステップＳ１４のピーク周波数の差分の算出、ステップＳ１６のＰＳとＥＣの両ピーク周波数の差分（及び／又は、ＥＣとＢＭの両ピーク周波数の差分）との３サイクル／ｍｍとの比較、及びステップＳ１８の配線パターンの透過率画像データの更新の各ステップを、ＰＳとＥＣの両ピーク周波数の差分が３サイクル／ｍｍ超となるまで繰り返す。
一方、ＰＳとＥＣの両ピーク周波数の差分が、３サイクル／ｍｍ超である場合には、ステップＳ２２に移り、配線パターン８２を最適化配線パターンとして決定し、本発明の導電性フィルム１０又は１１の配線パターン２４として設定する。
【００８０】
なお、本発明の導電性フイルムの配線パターンの決定方法の第１実施形態のみを実施し、この手順４のステップＳ１６において、プリズムパターン（ＰＳ）７７と配線パターン（ＥＣ）８２とのピーク周波数の差分を３サイクル／ｍｍと比較し、３サイクル／ｍｍ超か否かのみを判定する場合には、プリズムパターン（ＰＳ）７７及び配線パターン（ＥＣ）８２のピーク周波数やその差分（モアレの周波数）を求めれば良いので、ステップＳ１０での表示ユニット３０のＢＭパターン（ＢＭ）６８の透過率画像データの作成、ステップＳ１２でのＢＭパターン（ＢＭ）６８のピーク周波数の算出、及びステップＳ１４でのプリズムパターン（ＰＳ）７７や配線パターン（ＥＣ）８２とＢＭパターン（ＢＭ）６８との２者間のピーク周波数との差分、即ちモアレの周波数の算出等の必要はないので、これらのＢＭパターン（ＢＭ）６８に関わる処理は省略するのが好ましい。
しかしながら、図１１に示すように、本発明の導電性フイルムの配線パターンの決定方法の第１実施形態に続いて第２の実施形態を実施する場合には、上述のＢＭパターン（ＢＭ）６８に関わる処理を行っておくのが好ましい。
【００８１】
こうして、本発明に係る導電性フイルムの配線パターンの決定方法の第１実施形態は、終了し、プリズムシートを持つバックライトを備える表示装置の表示ユニットのＢＭパターンに重畳してもモアレの発生が抑止され、モアレの視認性に優れた、最適化された配線パターンを持つ本発明の導電性フィルムを作製することができる。
なお、本発明法の第１実施形態を実施する際には、表示ユニットにおけるＢＭパターン（ＢＭ）とプリズムパターン（ＰＳ）とのモアレの視認性は、上述した従来技術等によって最適化されているのが好ましく、また、配線パターン（ＥＣ）とＢＭパターン（ＢＭ）とのモアレの視認性は、上述した従来技術や、本出願人の出願に係る明細書に記載された技術等によって最適化されているのが好ましいが、これらの少なくとも一方のモアレの視認性が最適化されてない場合には、本第１実施形態において、ＢＭとＰＳとのピーク周波数の差分、又はＢＭとＥＣとのピーク周波数の差分と３サイクル／ｍｍとの比較を行って最適化しても良いし、上述した従来技術や、本出願人の出願に係る明細書に記載された技術等によって最適化しても良いのはもちろんである。
【００８２】
次に、図１２を参照して、本発明の導電性フイルムの配線パターンの決定方法の第２実施形態について説明する。
図１２は、本発明の導電性フイルムの配線パターンの決定方法の第２実施形態の一例を示すフローチャートである。
なお、図１２に示す本発明法の第２実施形態は、図１１に示す本発明法の第１実施形態に続いて第２実施形態を行うものであるので、ステップＳ１０のプリズムシート７６のプリズムパターン７７、導電性フィルム８０の配線パターン８２及び表示ユニット３０のＢＭパターン６８の各透過率画像データの作成、及びステップＳ１２の２ＤＦＥＴによるプリズムパターン７７、配線パターン８２及びＢＭパターン６８の各パターンのピーク周波数の算出は終了しているものとする。
ここで、図１７（Ａ）に、ステップＳ１２で算出されたＢＭパターン（ＢＭ）６８及び配線パターン（ＥＣ）８２のピーク周波数を空間周波数座標上にプロットしたグラフの一例を示す。なお、図１７（Ａ）においては、黒丸は、ＢＭパターン（ＢＭ）６８のピーク周波数を示し、白四角は、配線パターン（ＥＣ）８２のピーク周波数を示し、配線パターン（ＥＣ）８２は、格子状のＢＭパターン（ＢＭ）６８に対して所定角度傾斜した格子状パターンであることを示す。
【００８３】
また、図１８に、ステップＳ１２で算出されたプリズムパターン（ＰＳ）７７のピーク周波数を空間周波数座標上にプロットしたグラフの一例を示す。図１８では、プリズムパターン（ＰＳ）７７は、平行パターンであることを示す。
このように、ステップＳ１２では、ＰＳの周波数特性を調べられており、ＰＳのピーク周波数が求められている。なお、ここでも、上述したように、ピーク強度は不要であり、周波数ピーク位置のみ分かればよいので、ＰＳのピッチが分かればよい。図１８は、ＰＳのピッチが２０μｍの場合の一例を示す。なお、ここでも、ＰＳのピーク周波数は、スペクトルピークの２次の項まで求めれば良いのは上述した通りである。
【００８４】
次に、図１２に示すように、ステップＳ１２に続いて、ステップＳ２４において、ステップＳ１２で算出された配線パターン（ＥＣ）とＢＭパターン（ＢＭ）との両パターンのスペクトルピークのピーク周波数から、ＥＣとＢＭの２者のスペクトルピーク間のピーク周波数の差分を算出し、ＥＣとＢＭの２者の干渉による第３のモアレの周波数を算出し、算出された第３のモアレの周波数を第３のモアレのピーク周波数（周波数ピーク）として抽出（算出）する。
例えば、ステップＳ２４では、ステップＳ１２において算出された２ＤＦＥＴによるＥＣとＢＭの２者のスペクトルピークのピーク周波数、及びその際に同時に求められるピーク強度（ベクトル強度：図１５参照）から、ＥＣとＢＭの２者のピーク周波数の差分（絶対値）を算出すると共に、ＥＣとＢＭの２者のピークベクトル強度の積（絶対値）を算出する。こうして算出されたＥＣとＢＭの２者のピーク周波数の差分及びピークベクトル強度の積に対して人間の視覚応答特性（図２０参照）を作用させて、即ち畳み込んで（たたみ込み積分をすることで）、特定の強度以上のモアレの周波数及び強度を算出する。
【００８５】
こうすることで、図１７（Ｂ）に示すように、特定の強度以上の第３のモアレだけが残っている状態とすることができる。
図１７（Ｂ）は、図１７（Ａ）示すピーク周波数を持つＥＣとＢＭとの２者の干渉によるモアレの内、所定強度以上の第３のモアレの周波数を示す。
なお、このようにして算出された所定の強度以上の第３のモアレの周波数を第３のモアレのピーク周波数として求めることができる。
【００８６】
次に、ステップＳ２６において、ステップＳ１２で算出された、図１８に示すＰＳの各ピーク周波数と、ステップＳ２４で算出された、図１７（Ｂ）示すＥＣとＢＭとの２者の干渉による第３のモアレの各ピーク周波数との差分を算出し、ＰＳとＥＣとＢＭとの３者の干渉による複数の第２のモアレの周波数を算出する。
図１９に、こうして、図１６に示すＰＳとＥＣとＢＭの３者の各ピーク周波数から、ステップＳ２６で得られたＰＳとＥＣとＢＭの３者の干渉による第２のモアレの周波数、ステップＳ２４で得られたＥＣとＢＭの２者の干渉による第３のモアレの周波数、及びステップＳ１２で得られたＰＳのピーク周波数を２次元空間周波数座標上にプロットしたもの示す。図中、菱形は、３者の干渉による第２のモアレの周波数ピークを示し、四角形は、ＰＳの周波数ピークを示し、三角形は、ＥＣとＢＭの２者の干渉による第３のモアレの周波数ピークを示す。
図１９に示すように、３者の干渉による第２のモアレの周波数ピークは、原点近傍に集まっており、２者の干渉による第３のモアレの周波数ピークとＰＳの周波数ピークとが近接した位置にあり、第２のモアレが視認されることを示している。このため、本実施形態では、以下のステップを行う。
【００８７】
続いて、ステップＳ２８において、ステップＳ２６で算出された、プリズムパターン（ＰＳ）と配線パターン（ＥＣ）とＢＭパターン（ＢＭ）との３者の干渉による複数の第２のモアレの周波数から、第２のモアレの最低の周波数Ａを選び出す。
一方、ステップＳ３０において、ステップＳ２４で算出された、配線パターン（ＥＣ）とＢＭパターン（ＢＭ）との２者の干渉による複数の第３のモアレの周波数からこの第３のモアレの最低の周波数Ｂを選び出す。即ち、上述のようにして、ステップＳ２４で得られたＢＭとＥＣとの第３のモアレの周波数、例えば図１７（Ｂ）に示すＢＭとＥＣとの第３のモアレの周波数から最低の周波数を選び出すことにより、ＢＭとＥＣとの２者の干渉による第３のモアレの最低の周波数Ｂとして求めることができる。
【００８８】
続いて、ステップＳ３２において、ステップＳ２８で選び出された第２のモアレの最低の周波数ＡとステップＳ３０で選び出された第３のモアレの最低の周波数Ｂを比較し、第２のモアレの最低の周波数Ａが第３のモアレの最低の周波数Ｂより高周波か否かを判定する。
その結果、第２のモアレの最低の周波数Ａが第３のモアレの最低の周波数Ｂより高周波でない（等しいか低周波である）場合には、図１１のステップＳ１８に移り、配線パターン８２の透過率画像データを新たな配線パターンの透過率画像データに更新して、ステップＳ１２に戻る。
【００８９】
この後、図１１に示すステップＳ１２のＰＳ，ＥＣ及びＢＭの３者の各ピーク周波数の算出、図１２に示すステップＳ２４のＥＣ及びＢＭの２者の第３のモアレの周波数（ピーク周波数）の算出、ステップ２６の第２のモアレの周波数の算出、ステップＳ２８の最低の周波数Ａの抽出、ステップ３０の第３のモアレの最低の周波数Ｂの抽出、ステップＳ３２の最低の周波数Ａと最低の周波数Ｂの比較、及び図１１のステップ１８の配線パターンの透過率画像データの更新の各ステップを、最低の周波数Ａが最低の周波数Ｂより高周波になるまで繰り返す。
一方、図１２のステップＳ３２において、最低の周波数Ａが最低の周波数Ｂより高周波である場合には、図１１のステップＳ２２に移り、配線パターン８２を最適化配線パターンとして決定し、本発明の導電性フィルム１０又は１１の配線パターン２４として設定する。
【００９０】
こうして、本発明の導電性フイルムの配線パターンの決定方法の第２の実施形態は終了し、プリズムシートを持つバックライトを備える表示装置の表示ユニットのＢＭパターンに重畳しても、いずれか２者及び３者のモアレの発生が抑止され、モアレの視認性に優れた、最適化された配線パターンを持つ本発明の導電性フィルムを作製することができる。
本発明法の第２の実施形態においては、ステップＳ３０をステップＳ２４の直後、即ち、ステップＳ２４とＳ２６との間で行っても良いし、ステップ１２のプリズムパターン（ＰＳ）７７のピーク周波数の算出をステップＳ２４とＳ２６との間で行っても良い。
【００９１】
なお、上述したように、図１２のステップＳ２４において、ステップＳ１２で得られた２ＤＦＥＴによるＥＣとＢＭの２者のスペクトルピークのピーク周波数、及びその際に同時に求められるピーク強度（ベクトル強度）から算出されたＥＣとＢＭの２者のピーク周波数の差分及びピークベクトル強度の積に対して図２０に示す人間の標準視覚応答特性を作用させて、即ち掛けて（畳み込んで）第３のモアレの周波数を算出するのが良い。即ち、得られたＥＣとＢＭの２者のピーク周波数の差分及びピークベクトル強度の積に対して、図２０に示す人間の標準視覚応答特性の一例を表す視覚伝達関数（ＶＴＦ；Visual Transfer Function）を畳み込む。この視覚伝達関数は、ドゥーリー・ショー（Dooley Shaw）関数を基本とし、低周波成分の感度の減衰を無くすようにするものである。
本発明においては、人間の標準視覚応答特性として、明視状態下、観察距離３００ｍｍでのドゥーリー・ショー関数を用いている。ドゥーリー・ショー関数は、視覚伝達関数（ＶＴＦ）の一種であり、人間の標準視覚応答特性を模した代表的な関数である。具体的には、輝度のコントラスト比特性の２乗値に相当する。なお、グラフの横軸は空間周波数（単位：ｃｙｃｌｅ／ｍｍ）であり、縦軸はＶＴＦの値（単位は無次元）である。
【００９２】
観察距離を３００ｍｍとすると、０〜１．０ｃｙｃｌｅ／ｍｍの範囲ではＶＴＦの値は一定（１に等しい）であり、空間周波数が高くなるにつれて次第にＶＴＦの値が減少する傾向がある。すなわち、この関数は、中〜高空間周波数帯域を遮断するローパスフィルタとして機能する。
なお、実際の人間の視覚応答特性は、０ｃｙｃｌｅ／ｍｍ近傍で１より小さい値になっており、いわゆるバンドパスフィルタの特性を有する。しかしながら、本発明において、図２０に例示するように、極めて低い空間周波数帯域であってもＶＴＦの値を１にすることで、低周波成分の感度の減衰を無くすようにしている。これにより、配線パターン８２の繰り返し配置に起因する周期性を抑制する効果が得られる。
【００９３】
以上に、本発明に係る導電性フイルム、それを備える表示装置及びタッチパネル、並びに導電性フイルムのパターンの決定方法について種々の実施形態及び実施例を挙げて説明したが、本発明は、上述の実施形態及び実施例に限定されず、本発明の要旨を逸脱しないかぎり、種々の改良や設計の変更を行っても良いことはもちろんである。
例えば、上述した本発明法の第２の実施形態においては、配線パターン（ＥＣ）とＢＭパターン（ＢＭ）との２者の干渉による複数の第３のモアレのピーク周波数を求め、この第３のモアレのピーク周波数とプリズムパターン（ＰＳ）のピーク周波数とからＰＳとＥＣとＢＭとの３者の干渉による複数の第２のモアレの周波数を求めているが、本発明はこれに限定されず、ＰＳとＥＣとの２者の干渉によるモアレのピーク周波数を求め、このモアレのピーク周波数と残りのＢＭのピーク周波数とからＰＳとＥＣとＢＭとの３者の干渉による第２のモアレの周波数を求めても良いし、また、ＰＳとＢＭとの２者の干渉によるモアレのピーク周波数を求め、このモアレのピーク周波数と残りのＥＣのピーク周波数とからＰＳとＥＣとＢＭとの３者の干渉による第２のモアレの周波数を求めても良い。
【符号の説明】
【００９４】
１０、１１、８０  導電性フイルム
１２  透明支持体
１４  金属製の細線（金属細線）
１６、１６ａ、１６ｂ  導電部
１８、１８ａ、１８ｂ  接着層
２０、２０ａ、２０ｂ  保護層
２２  開口部
２４、８２  配線パターン
２６  ダミー電極部
３０  表示ユニット
３２ａ、３２ｂ  偏光フィルタ（偏光板）
３４  アレイ基板
３６  液晶層
３８  カラーフィルタ基板３８
４０  表示装置
４２  バックライトユニット
４４  タッチパネル
６２、６２ｒ、６２ｇ、６２ｂ  画素
６４  ブラックマトリクス（ＢＭ）
６８  画素配列（ＢＭ）パターン
７０  光源
７２  導光板
７４ａ  光源反射シート（反射板）
７４ｂ  反射シート（反射板）
７５  マイクロプリズム列
７６、７６ａ、７６ｂ  プリズムシート
７７  マイクロプリズム列パターン（プリズムパターン）
７８  拡散シート
【図１】
2014052906.tif 000003
【図２】
2014052906.tif 000004
【図３】
2014052906.tif 000005
【図４】
2014052906.tif 000006
【図５】
2014052906.tif 000007
【図６】
2014052906.tif 000008
【図７】
2014052906.tif 000009
【図９】
2014052906.tif 000010
【図１１】
2014052906.tif 000011
【図１２】
2014052906.tif 000012
【図１４】
2014052906.tif 000013
【図１５】
2014052906.tif 000014
【図１６】
2014052906.tif 000015
【図１７】
2014052906.tif 000016
【図１８】
2014052906.tif 000017
【図１９】
2014052906.tif 000018
【図２０】
2014052906.tif 000019
【図８】
2014052906.tif 000020
【図１０】
2014052906.tif 000021
【図１３】
2014052906.tif 000022
【図２１】
2014052906.tif 000023